(57)【特許請求の範囲】
【請求項１】
所定の伝送速度を有する第１低次群信号による伝送を行なう第１のネットワークと、該第１低次群信号よりも高速の伝送速度を有する高次群信号単位で信号伝送を行なう第２のネットワークとの間に介装される伝送装置であって、
該高次群信号又は該第１低次群信号よりも低速の第２低次群信号単位で、該第１のネットワークと該第２のネットワークとの間で伝送される信号のクロスコネクトを行なうクロスコネクト部と、
該クロスコネクト部との間において該高次群信号単位で信号の伝送を行なうインタフェース部とをそなえるとともに、
該インタフェース部が、
入力された第１低次群信号を、該第１低次群信号よりも低速の第２低次群信号が複数多重された該第２のネットワークへの高次群信号に変換して該クロスコネクト部へ出力する第１信号変換部と、
該第２のネットワークから該クロスコネクト部を通じて受信される高次群信号を第１低次群信号に変換する第２信号変換部と、
該第１のネットワークからの第１低次群信号と、該第２信号変換部で得られた第１低次群信号とのいずれかを該第１信号変換部への入力信号として選択的に出力しうる選択部とをそなえたことを特徴とする、伝送装置。
【請求項２】
所定の伝送速度を有する第１低次群信号による伝送を行なう第１のネットワークと、該第１低次群信号よりも高速の伝送速度を有する高次群信号単位で信号伝送を行なう第２のネットワークとの間に介装される伝送装置であって、
該高次群信号又は該第１低次群信号よりも低速の第２低次群信号単位で、該第１のネットワークと該第２のネットワークとの間で伝送される信号のクロスコネクトを行なうクロスコネクト部と、
該クロスコネクト部との間において該高次群信号単位で信号の伝送を行なうインタフェース部とをそなえるとともに、
該インタフェース部が、
入力された第１低次群信号を該第２のネットワークへの該高次群信号に変換して該クロスコネクト部へ出力する第３信号変換部と、
該第２のネットワークからの高次群信号を、該第１低次群信号よりも低速の第２低次群信号が複数多重された該第１のネットワークへの第１低次群信号に変換する第４信号変換部と、
該第１のネットワークからの第１低次群信号と、該第４信号変換部で得られた第１低次群信号とのいずれかを該第３信号変換部への入力信号として選択的に出力しうる選択部とをそなえたことを特徴とする、伝送装置。
【請求項３】
所定の伝送速度を有する第１低次群信号による伝送を行なう第１のネットワークと、該第１低次群信号よりも高速の伝送速度を有する高次群信号単位で信号伝送を行なう第２のネットワークとの間に介装される伝送装置であって、
該高次群信号又は該第１低次群信号よりも低速の第２低次群信号単位で、該第１のネットワークと該第２のネットワークとの間で伝送される信号のクロスコネクトを行なうクロスコネクト部と、
該クロスコネクト部との間において該高次群信号単位で信号の伝送を行なうインタフェース部とをそなえるとともに、
該インタフェース部が、
入力された第１低次群信号を、該第１低次群信号よりも低速の第２低次群信号が複数多重された該第２のネットワークへの高次群信号に変換して該クロスコネクト部へ出力する第１信号変換部と、
該第２のネットワークから該クロスコネクト部を通じて受信される高次群信号を第１低次群信号に変換する第２信号変換部と、
入力された第１低次群信号を該第２のネットワークへの高次群信号に変換してクロスコネクト部へ出力する第３信号変換部と、
該第２のネットワークから該クロスコネクト部を通じて受信される高次群信号を、第２低次群信号が複数多重された該第１のネットワークへの第１低次群信号に変換する第４信号変換部と、
該第１のネットワークからの第１低次群信号と、該第２信号変換部で得られた第１低次群信号とのいずれかを該第１信号変換部への入力信号として選択的に出力しうるとともに、該第１のネットワークからの第１低次群信号と、該第４信号変換部で得られた第１低次群信号とのいずれかを該第３信号変換部への入力信号として選択的に出力しうる選択部とをそなえたこと特徴とする、伝送装置。
【請求項４】
該第２信号変換部が、
該第２のネットワークからの該高次群信号から該第１低次群信号への信号変換の際に、該高次群信号についてのアラームを検出するアラーム検出部をそなえるとともに、
該第１信号変換部が、
該アラーム検出部にて該高次群信号についてのアラームが検出されると、該選択部から選択出力される第１低次群信号の該高次群信号への信号変換過程において該高次群信号に多重すべき第２低次群信号をアラーム表示状態に設定するアラーム表示設定部をそなえたことを特徴とする、請求項３記載の伝送装置。
【請求項５】
所定の伝送速度を有する第１低次群信号による伝送を行なう第１のネットワークと、該第１低次群信号よりも高速の伝送速度を有する高次群信号単位で信号伝送を行なう第２のネットワークとの間に介装されるインタフェース装置であって、
入力された第１低次群信号を、該第１低次群信号よりも低速の第２低次群信号が複数多重された該第２のネットワークへの高次群信号に変換する第１信号変換部と、
該第２のネットワークからの高次群信号を第１低次群信号に変換する第２信号変換部と、
該第１のネットワークからの第１低次群信号と、該第２信号変換部で得られた第１低次群信号とのいずれかを該第１信号変換部への入力信号として選択的に出力しうる選択部とをそなえたことを特徴とする、インタフェース装置。
【発明の詳細な説明】
【０００１】
【発明の属する技術分野】
本発明は、伝送装置及びインタフェース装置に関し、特に、既存の非同期ネットワークとSONET（Synchronous Optical NETwork）と呼ばれる新同期ネットワークとの接続に用いて好適な、伝送装置及びインタフェース装置に関する。
【０００２】
【従来の技術】
従来、北米等の地域における伝送ネットワークとしては、DS1（Digital Signal level 1;1.544 Mbps），DS2(6.132 Mbps)，DS3(44.736 Mbps)等の非同期信号（DSn信号（n=1,2,3等）による伝送が行なわれる非同期ネットワーク(以下、DSn非同期ネットワーク、もしくは、DSnネットワークという)と、SONETと呼ばれる、STS1(Synchronous Transport Signal level 1；51.84 Mbps),STS3(155.52 Mbps),STS12(622.08 Mbps)等の新同期信号（STSm信号（m=1,3,12,48,192等））による伝送が行なわれる新同期ネットワークとが存在する。
【０００３】
なお、上記のDS2信号は、DS1信号を４多重した信号に相当し、DS3信号はDS2信号を７（チャンネル）多重した信号に相当する。同様に、STS3信号はSTS1信号を３（チャンネル）多重した信号に相当し、STS12信号はSTS3信号を４（チャンネル）多重した信号に相当する。つまり、新同期ネットワークでは、低次群信号の多重数は異なるかもしれないが、常に、STS1信号を単位に信号伝送が行なわれる。
【０００４】
また、STSmは、電気信号レベルでの呼称であり、光信号レベルでは、OC（Optical Carrier level）mと呼ばれる。
そして、周知のように、これらのDSnネットワークと新同期ネットワーク（SONET）とを相互に接続するには、SONET光伝送装置（ＡＤＭ（Add/Drop Multiplexer）；以下、「ＡＤＭノード」、あるいは、「ノード」ともいう）が用いられる。例えば図１７に示すように、DS3信号を伝送する非同期DS3ネットワーク１００と、DS3信号をペイロード（SPE：Synchronous Payload Envelope）部分に格納（マップ）したSTS1信号単位で信号伝送するSONET２００とを接続するノード１０１，１０２は実用化されている。即ち、図１９（Ａ）に模式的に示すように、DS3信号とDS3信号がマップされたSTS1信号との間の多重／分離機能を有するノード１０１，１０２は実現されている。
【０００５】
また、SONET２００がVT1.5信号をSTS1信号単位で伝送するサービスをサポートしている場合、ＡＤＭノード１０１や１０２に、DS3信号とVT1.5信号との間の信号変換機能及びVT1.5信号とSTS1信号との間の多重／分離機能を装備することで、DS3ネットワーク１００を伝送するDS3信号をVT1.5信号単位でSTS1信号に多重してSONET２００に乗り入れたり（アド）、VT1.5信号単位でSTS1信号に多重されてSONET２００を伝送されている信号をVT1.5信号単位に分離してDS3ネットワーク１００にドロップしたりすることができる。
【０００６】
この場合のＡＤＭノード１０１（１０２）の接続インタフェース部分に着目した構成は例えば図１８に示すようになる。即ち、ノード１０１（１０２）は、Ｂ／Ｕ（バイポーラ／ユニポーラ）変換部１１１，DS3/DS2分離変換部１１２，DS2/DS1分離変換部１１３，DS1フォーマット変換用メモリ１１４，DS1/VT1.5マップ（MAP）部１１５，STS1マップ（MAP）部１１６，STS1ネットワーク用クロック発生部１１７，SONETコンディション通知部１１８，STS1デマップ（DMAP）部１２１，VT1.5/DS1デマップ（DMAP）部１２２，SONETデスタッフ用メモリ１２３，DS1/DS2多重変換部１２４，DS2/DS3多重変換部１２５，Ｕ／Ｂ（ユニポーラ／バイポーラ）変換部１２６，DS1クロック発生部１２７及びDS3ネットワーク用クロック発生部１２８をそなえて構成される。
【０００７】
ここで、上記のＢ／Ｕ変換部１１１は、非同期ネットワーク１００から受信される装置外バイポーラ信号（DS3信号）を装置内ユニポーラ信号に変換するものであり、DS3/DS2分離変換部１１２は、変換後のDS3信号をDS2信号単位に分離変換するものであり、DS2/DS1分離変換部１１３は、このDS3/DS2分離変換部１１２によって得られたDS2信号をさらにDS1信号単位に分離変換するものである。
【０００８】
なお、DS3/DS2分離変換部１１２及びDS2/DS1分離変換部１１３は、それぞれ、信号の分離変換前の高次群の信号についての高次群アラーム（AIS；Alarm Indication Signal）をDS3アラーム検出部１１２ａ及びDS2アラーム検出部１１３ａにて検出しており、これらの検出部１１２ａ，１１３ａにて高次群アラームが検出されると、その旨がそれぞれSONETコンディション通知部１１８に通知されるとともに、後にDS1信号をVT1.5信号にマップ（フォーマット変換）する際にDS1信号単位でAISを挿入させるための信号（DS1-AIS挿入信号（命令））がDS1/VT1.5マップ部１１５に出力されるようになっている。
【０００９】
また、DS1フォーマット変換用メモリ１１４は、DS2/DS1分離変換部１１３で得られたDS1信号をVT1.5信号フォーマットに変換するために蓄積するものであり、DS1/VT1.5マップ部１１５は、このDS1フォーマット変換用メモリ１１４に蓄積されたDS1信号をSTS1ネットワーク用クロック発生部１１７で発生するクロックに同期して読み出してVT1.5信号にフォーマット変換するものである。
【００１０】
さらに、STS1マップ部１１６は、VT1.5マップ部１１６ａにより、DS1/VT1.5マップ部１１５からの入力VT1.5信号を、STS1ネットワーク用クロック発生部１１７で発生するクロックに同期して、STS1信号に多重変換して、VT1.5信号単位で信号が多重された(VT1.5 mapped)STS1信号としてSONET２００に出力するものである。
【００１１】
なお、この際、STS1マップ部１１６は、DS3アラーム検出部１１２ａ又はDS2アラーム検出部１１３ａからDS1-AIS挿入信号を受信していた場合、DS3信号又はDS2信号中に多重されていたDS1信号のデータ全てを“１”に設定（DS1-AISを挿入）してSTS1信号を出力することになる。
また、SONETコンディション通知部１１８は、DS3アラーム検出部１１２ａ又はDS2アラーム検出部１１３ａにてアラームが検出されたことを装置内状態監視部（図示省略）経由でSONET２００へ出力してネットワーク管理者等に通知するための機能を提供するものである。
【００１２】
一方、STS1デマップ部１２１は、SONET(VT1.5信号の伝送をサポートしているネットワーク)２００から受信したSTS1信号を終端して、VT1.5デマップ部１２１ａにより、VT1.5信号単位に分離するものであり、VT1.5/DS1デマップ部１２２は、このSTS1デマップ部１２１（VT1.5デマップ部１２１ａ）で得られたVT1.5信号を終端してDS1信号にマップ（フォーマット変換）するものである。
【００１３】
なお、これらのSTS1デマップ部１２１及びVT1.5/DS1デマップ部１２２は、それぞれ、高次群アラーム(VT1.5信号，DS1信号からみた場合はSTS1アラーム)をSTSアラーム検出部１２１ｂ及びVTアラーム検出部１２２ａにて検出しており、高次群アラームが検出されると、それぞれDS1-AIS挿入信号がDS1/DS2多重変換部１２４に通知されるようになっている。
【００１４】
また、SONETデスタッフ用メモリ１２３は、上記のVT1.5/DS1デマップ部１２２からの入力DS1信号に蓄積されたSTS1信号,VT1.5信号のデスタッフ時に発生したデータのゆらぎを吸収してDS1信号の平滑化を行なうために上記入力DS1信号を蓄積してDS1クロック発生部１２７で発生するクロックに同期して出力するものであり、DS1/DS2多重変換部１２４は、このメモリ１２３による平滑化後のDS1信号を、DS3ネットワーク用クロック発生部１２８で発生するクロックに同期して、DS2信号に多重変換するものである。
【００１５】
この際、DS1/DS2多重変換部１２４は、DS1-AIS挿入信号をSTSアラーム検出部１２１ｂ又はVTアラーム検出部１２２ａから受信していた場合には、STS1信号又はDS2信号中に多重されていたDS1信号のデータを全て“１”に設定（DS1-AISを挿入）するようになっている。
さらに、DS2/DS3多重変換部１２５は、DS1/DS2多重変換部１２４からの入力DS2信号を、DS3ネットワーク用クロック発生部１２８で発生するクロックに同期して、DS3信号に多重変換するものであり、Ｕ／Ｂ変換部１２６は、このDS2/DS3多重変換部１２５で得られたDS3信号（ユニポーラ信号）をバイポーラ信号に変換して、DS3ネットワーク１００に出力するものである。
【００１６】
以上のような構成により、従来のノード１０１（１０２）では、例えば、SONET２００から受信されるVT1.5信号が多重されたSTS1信号（STS1 mapped VT1.5）は、STS1デマップ部１２１にて終端される。この時、STSアラーム検出部１２１ｂにて高次群アラームが検出されれば、DS1-AIS挿入信号がDS1/DS2多重変換部１２４に通知される。
【００１７】
STS1デマップ部１２１で終端されたSTS1信号は、次に、VT1.5デマップ部１２１ａにより、VT1.5信号単位に分離されて、VT1.5/DS1デマップ部１２２に出力される。VT1.5/DS1デマップ部１２２では、STS1デマップ部１２１（VT1.5デマップ部１２１ａ）からの入力VT1.5信号を終端する。この時、VTアラーム検出部１２２ａにて高次群アラームが検出されれば、DS1-AIS挿入信号がDS1/DS2多重変換部１２４に通知される。
【００１８】
そして、終端されたVT1.5信号は、DS1信号単位にデマップされたのち、SONETデスタッフ用メモリ１２３に入力される。SONETデスタッフ用メモリ１２３では、入力DS1信号に蓄積されたSTS1信号,VT1.5信号のスタッフを吸収してDS1信号を平滑化した上で、DS1/DS2多重変換部１２４に出力する。DS1/DS2多重変換部１２４では、平滑化後のDS1信号を、DS3ネットワーク用クロック発生部１２８で発生するクロックに同期して、DS2信号に多重変換して、DS2/DS3多重変換部１２５に出力する。
【００１９】
この時、STSアラーム検出部１２１ｂ又はVTアラーム検出部１２２ａからDS1-AIS挿入信号が受信されていた場合、DS1/DS2多重変換部１２４は、DS1-AIS挿入部１２４ａによって、STS1信号又はVT1.5信号中に多重されていたDS1信号のデータを全て“１”に設定してSTS1信号を出力する。
そして、このようにして得られたDS2信号は、DS2/DS3多重変換部１２５にてDS3信号に多重変換されたのち、Ｕ／Ｂ変換部１２６にてユニポーラ信号に変換されて、DS3ネットワーク１００へ送出される。
【００２０】
これに対し、非同期DS3ネットワーク１００から受信されたDS3信号は、Ｂ／Ｕ変換部１１１にてユニポーラ信号に変換されたのち、DS3/DS2分離変換部１１２にて終端されたのち、DS2信号単位に分離される。なお、DS3信号の終端時に、DS3アラーム検出部１１２ａにて高次群アラーム（DS3アラーム）が検出されると、その旨がSONETコンディション通知部１１８に通知されるとともに、DS1/VT1.5マップ部１１５へDS1-AIS挿入信号がDS1/VT1.5マップ部１１５に通知される。
【００２１】
さて、上述のごとくDS3/DS2分離変換部１１２にて得られたDS2信号は、次に、DS2/DS1分離変換部１１３にて終端されたのち、さらに、DS1信号単位に分離される。なお、この場合も、DS2信号の終端時に、DS2アラーム検出部１１３ａにて高次群アラーム（DS2アラーム）が検出されていれば、その旨がSONETコンディション通知部１１８に通知されるとともに、DS1-AIS挿入信号がDS1/VT1.5マップ部１１５に通知される。
【００２２】
そして、DS2/DS1分離変換部１１３にて得られたDS1信号は、次に、DS1フォーマット変換用メモリ１１４に蓄積されて、STS1ネットワーク用クロック発生部１１７で発生するクロックに同期して読み出されたのち、DS1/VT1.5マップ部１１５にてVT1.5信号にマップ（フォーマット変換）される。この際、上述したようにDS3アラーム検出部１１２ａ又はDS2アラーム検出部１１３ａからDS1-AIS挿入信号が受信されていれば、DS1/VT1.5マップ部１１５は、DS1-AIS挿入部１１５ａにより、STS1信号又はDS2信号中に多重されていたDS1信号のデータを全て“１”に設定（DS1-AISを挿入）した上でSTS1信号をSTS1マップ部１１６ａへ出力する。
【００２３】
STS1マップ部１１６では、このDS1/VT1.5マップ部１１５からのVT1.5信号を、VT1.5マップ部１１６ａにより、STS1信号に多重して、SONET２００へ送出する。以上のようにして従来のノード１０１，１０２は、例えば図１９（Ｂ）に模式的に示すように、DS3信号とSTS1信号との間の相互の信号変換を可能にする。したがって、図１７に示すように、DS3信号を伝送する非同期ネットワーク１００と、STS1信号単位で伝送を行なう新同期ネットワーク（SONET）２００との間でのアド／ドロップ（クロスコネクト）をVT1.5信号単位で行なうことが可能となる。
【００２４】
【発明が解決しようとする課題】
しかしながら、上述したような従来のノード１０１（１０２）では、SONET２００へのSTS1信号にDS3信号をマップすることができないため、SONET２００においてDS3信号をマップしたSTS1信号単位で信号伝送できず、DS3信号単位でのサービスを提供することができない。また、既にSONET２００においてDS3信号がマップされたSTS1信号を、VT1.5信号単位で多重／分離（再構築）することもできないため、DS3信号がマップされたSTS1信号についてはSTS1信号単位でしかアド／ドロップ（クロスコネクト）等のサービスを提供できない。なお、以上の説明は、ＴＴＣ標準のＳＤＨ（Synchronous Digital Hierarchy）伝送方式においても同様である。
【００２５】
本発明は、このような課題に鑑み創案されたもので、新同期ネットワークにおいて、所定の低次群信号（例えば、DS3信号）単位でのサービスを提供するとともに、従来、所定の高次群信号（例えば、STS1信号）単位でしかサポートできなかった既に低次群信号のマップされた信号についても、マップ済みの低次群信号よりもさらに低速の低次群信号（例えば、VT1.5信号）のマップされた信号に再構築して、その低次群信号単位でのサービスを提供できるようにすることを目的とする。
【００２６】
【課題を解決するための手段】
上記の目的を達成するために、本発明の伝送装置（請求項１）は、所定の伝送速度を有する第１低次群信号による伝送を行なう第１のネットワークと、該第１低次群信号よりも高速の伝送速度を有する高次群信号単位で信号伝送を行なう第２のネットワークとの間に介装されるものであって、上記の高次群信号又は第１低次群信号よりも低速の第２低次群信号単位で、第１のネットワークと第２のネットワークとの間で伝送される信号のクロスコネクトを行なうクロスコネクト部と、このクロスコネクト部との間において上記高次群信号単位で信号の伝送を行なうインタフェース部とをそなえるとともに、このインタフェース部が、以下の各部をそなえたことを特徴としている。
【００２７】
(1)入力された第１低次群信号を、その第１低次群信号よりも低速の第２低次群信号が複数多重された第２のネットワークへの高次群信号に変換して上記クロスコネクト部へ出力する第１信号変換部
(2)第２のネットワークから上記のクロスコネクト部を通じて受信される高次群信号を第１低次群信号に変換する第２信号変換部
(3)第１のネットワークからの第１低次群信号と、上記の第２信号変換部で得られた第１低次群信号とのいずれかを上記の第１信号変換部への入力信号として選択的に出力しうる選択部
上述のごとく構成された伝送装置では、第２のネットワークから受信される高次群信号を第２信号変換部において第１低次群信号に変換した上で上記の第１信号変換部へ入力することができるので、第１のネットワークから受信される第１低次群信号および第２のネットワークから受信される高次群信号のいずれについても、共通の第１信号変換部により、より低速の第２低次群信号が複数多重された高次群信号に再構築して第２のネットワークへ送出することができる。
【００２８】
なお、上記のインタフェース部は、以下の各部をそなえて構成してもよい（請求項２）。
(1)入力された第１低次群信号を該第２のネットワークへの高次群信号に変換して上記クロスコネクト部へ出力する第３信号変換部
(2)第２のネットワークからの高次群信号を、第１低次群信号よりも低速の第２低次群信号が複数多重された第１のネットワークへの第１低次群信号に変換する第４信号変換部
(3)第１のネットワークからの第１低次群信号と、上記の第４信号変換部で得られた第１低次群信号とのいずれかを第３信号変換部への入力信号として選択的に出力しうる選択部
上述のごとく構成された本発明の伝送装置では、第２のネットワークから受信される高次群信号を第４信号変換部において第１低次群信号に変換した上で上記の第３信号変換部へ入力することができるので、第１のネットワークから受信される第１低次群信号および第２のネットワークから受信される高次群信号のいずれについても、共通の第３信号変換部により、第２のネットワークへの高次群信号に再構築することができる。
【００２９】
また、上記のインタフェース部は、上述した第１〜第４信号変換部と、第１のネットワークからの第１低次群信号と、上記の第２信号変換部で得られた第１低次群信号とのいずれかを上記第１信号変換部への入力信号として選択的に出力しうるとともに、第１のネットワークからの第１低次群信号と、上記の第４信号変換部で得られた第１低次群信号とのいずれかを上記第３信号変換部への入力信号として選択的に出力しうる選択部とをそなえて構成してもよい（請求項３）。
【００３０】
上述のごとく構成された伝送装置では、第２のネットワークから受信される高次群信号を第２信号変換部において第１低次群信号に変換した上で上記の第１信号変換部へ入力することができるので、第１のネットワークから受信される第１低次群信号および第２のネットワークから受信される高次群信号のいずれについても、共通の第１信号変換部により、より低速の第２低次群信号が複数多重された第２のネットワークへの高次群信号に再構築することができ、また、第２のネットワークから受信される高次群信号を上記第４信号変換部において第１低次群信号に変換した上で上記の第３信号変換部へ入力することができるので、第１のネットワークから受信される第１低次群信号および第２のネットワークから受信される高次群信号のいずれについても、共通の第３信号変換部により、第２のネットワークへの高次群信号に再構築することができる。
【００３１】
ここで、上述した第２信号変換部は、第２のネットワークからの高次群信号から第１低次群信号への信号変換の際に、高次群信号についてのアラームを検出するアラーム検出部をそなえるとともに、上記の第１信号変換部は、このアラーム検出部にて高次群信号についてのアラームが検出されると、上記の選択部から選択出力される第１低次群信号の上記高次群信号への信号変換過程においてその高次群信号に多重すべき第２低次群信号をアラーム表示状態に設定するアラーム表示設定部をそなえていてもよい（請求項４）。
【００３２】
これにより、本実施形態では、上記の選択部から選択出力され第１低次群信号から高次群信号へ信号変換（つまり、再構築）されるべき第２のネットワークから受信された高次群信号についてアラームが第２信号変換部において検出されると、第１信号変換部において、再構築のために高次群信号に多重すべき第２低次群信号を一括してアラーム表示状態に設定することができる。
【００３３】
また、本発明のインタフェース装置（請求項５）は、所定の伝送速度を有する第１低次群信号による伝送を行なう第１のネットワークと、該第１低次群信号よりも高速の伝送速度を有する高次群信号単位で信号伝送を行なう第２のネットワークとの間に介装されるものであって、下記の各部をそなえて構成されたことを特徴としている。
【００３４】
(1)入力された第１低次群信号を、その第１低次群信号よりも低速の第２低次群信号が複数多重された第２のネットワークへの高次群信号に変換する第１信号変換部
(2)第２のネットワークからの高次群信号を第１低次群信号に変換する第２信号変換部
(3)第１のネットワークからの第１低次群信号と、上記の第２信号変換部で得られた第１低次群信号とのいずれかを上記第１信号変換部への入力信号として選択的に出力しうる選択部
上述のごとく構成された本発明のインタフェース装置では、第２のネットワークから受信される高次群信号を第２信号変換部において第１低次群信号に変換した上で上記の第１信号変換部へ入力することができるので、第１のネットワークから受信される第１低次群信号および第２のネットワークから受信される高次群信号のいずれについても、共通の第１信号変換部により、より低速の第２低次群信号が複数多重された高次群信号に再構築して第２のネットワークへ送出することができる。
【００３５】
【発明の実施の形態】
以下、図面を参照して本発明の実施の形態を説明する。
図１は本発明の一実施形態に係るネットワークの構成を示すブロック図で、この図１に示すネットワークは、44.736 Mbpsという伝送速度を有する（第１）低次群信号（DS3信号）の伝送をサポートする第１のネットワークとしての非同期DS3ネットワーク１（以下、単に「DS3網１」ともいう）と、この非同期DS3ネットワーク１とは同期しておらず当該DS3網１がサポートする伝送速度よりも高速の伝送速度をもつ高次群信号（STS1信号）単位での伝送をサポートする第２のネットワークとしての新同期ネットワーク（SONET）２とを有して構成されている。
【００３６】
そして、SONET２は、複数のSONET光伝送装置（ＡＤＭ；以下、ＡＤＭノードという）３〜７がリング状に接続されて成るリングネットワークとして構成されており、ここでは、これらのＡＤＭノード３〜７のうち、ＡＤＭノード３及び４が、それぞれ、DS3網１を収容して、DS3網１がサポートするDS3信号をDS3信号よりも低速のVT1.5信号（第２低次群信号）の多重されたSTS1信号に変換してSONET２に、SONET２上を伝送されるVT1.5信号の多重されたSTS1信号をDS3信号に変換してDS3網１にそれぞれ相互に乗り入れることができるようになっている。
【００３７】
さらに、ＡＤＭノード３には、このようなDS3信号とVT1.5信号の多重されたSTS1信号との間の信号変換機能に加えて、DS3網１からのDS3信号をDS3信号単位でSONET２へのSTS1信号に多重する機能や、既にDS3信号がマップされたSONET２上のSTS1信号をVT1.5信号の多重されたSTS1信号に信号変換（再構築）してSONET２へ伝送するための機能も装備されている。
【００３８】
具体的に、本ＡＤＭノード３は、例えば図２に示すように、上記の各種機能を実現するVTインタフェース部（インタフェース装置）３１と、クロスコネクト機能を提供するクロスコネクト部３２と、SONET２とライン接続されSONET２とのインタフェースをとるためのSONETインタフェース部３３とをそなえて構成されており、基本的に、各部３１，３２，３３の間は、STS1信号単位での装置内通信が行なわれ、クロスコネクト部３２では、STS1又はVT1.5信号単位でのクロスコネクトが行なわれるようになっている。
【００３９】
そして、本実施形態の要部である上記VTインタフェース部３１は、さらに、例えば図３に示すように構成されている。
即ち、DS3網１とSONET２との間に介装された本VTインタフェース部３１は、DS3網１→SONET２方向の伝送系（送信系）として、主に、Ｂ／Ｕ変換部１１，DS3アラーム検出部１３ａを有するDS3/DS2分離変換部１３，DS2アラーム検出部１４ａを有するDS2/DS1分離変換部１４，DS1フォーマット変換用メモリ１５，DS1-AIS挿入部１６ａを有するDS1/VT1.5マップ部１６，VT1.5マップ部１７ａとDS3マップ部１７ｂとを有するSTS1マップ部１７をそなえて構成されている。
【００４０】
また、SONET２→DS3網１方向の伝送系（受信系）として、主に、STS1ネットワーク用クロック発生部１８，DS3マップ部２１ａ及びVT1.5デマップ部２１ｂを有するSTS1デマップ部２１，VTアラーム検出部２２ａを有するVT1.5/DS1デマップ部２２，SONETデスタッフ用メモリ２３，DS1-AIS挿入部２４ａを有するDS1/DS2多重変換部２４，DS2/DS3多重変換部２５，DS1クロック発生部２６，DS3ネットワーク用クロック発生部２７，Ｕ／Ｂ変換部２８をそなえて構成されている。
【００４１】
さらに、これらの各伝送系以外に、セレクタ（ＳＥＬ）１２及びSONETコンディション通知部１９も設けられている。なお、この図３において、図２に示すクロスコネクト部３２及びSONETインタフェース部３３の図示は省略している。即ち、実際には、STS1マップ部１７から出力されるSTS1信号は、クロスコネクト部３２及びSONETインタフェース部３３にて必要なクロスコネクト処理及びインタフェース処理を受けたのちにSONET２へ送出され、逆に、SONET２から受信されるSTS１信号は、SONETインタフェース部３３及びクロスコネクト部３２にて必要なインタフェース処理及びクロスコネクト処理を受けたのちVTインタフェース部３１に入力される。
【００４２】
ここで、上記の送信系において、Ｂ／Ｕ変換部１１は、DS3網１から受信されるDS3信号（装置外バイポーラ信号）を装置内ユニポーラ信号に変換するものであり、DS3/DS2分離変換部１３は、セレクタ１２から入力されるDS3信号を終端し、当該DS3信号をDS2信号に分離変換するものであり、DS3アラーム検出部１３ａは、前記DS3信号終端時に高次群アラーム(DS2信号からみた場合、DS3アラームがこれにあたる)を検出するためのもので、このDS3アラーム検出部１３ａにおいてDS3アラームが検出されると、その旨がSONETコンディション通知部１９に通知されるとともに、DS1-AIS挿入信号としてDS1/VT1.5マップ部１６ａのDS1-AIS挿入部１６ａに通知されるようになっている。
【００４３】
また、DS2/DS1分離変換部１４は、上記のDS3/DS2分離変換部１３で得られたDS2信号を終端し、当該DS2信号をDS1信号に分離変換するものであり、DS2アラーム検出部１４ａは、前記DS2信号終端時に、高次群アラーム(DS1信号からみた場合、DS2アラームがこれにあたる)を検出するためのもので、DS3アラームの場合と同様に、このDS2アラーム検出部１４ａにおいてDS2アラームが検出されると、その旨がSONETコンディション通知部１９に通知されるとともに、DS1-AIS挿入信号として、DS1-AIS挿入部１６ａに通知されるようになっている。
【００４４】
さらに、DS1フォーマット変換用メモリ１５（以下、「変換メモリ１５」と略記する）は、DS3信号をDS1信号に分離変換する間に生じた周波数オフセットを補償するために、データDS2/DS1分離変換部１４から入力されるDS1信号を蓄積するもので、STS1ネットワーク用クロック発生部（以下、STS1クロック発生部ともいう）１８で生成されるSONET２のデータ伝送速度に同期したクロックに同期してその蓄積内容が順次出力されるようになっている。
【００４５】
そして、DS1/VT1.5マップ部１６は、この変換メモリ１５から読み出されて入力されるDS1信号を、STS1クロック発生部１８で発生したクロックに同期して、VT1.5信号に多重変換するものであり、DS1-AIS挿入部（アラーム表示設定部）１６ａは、この多重変換の際に、DS1-AIS挿入信号を受信していると、DS2信号に多重されていたDS1信号中のデータ（DS1データ）を全て“１”に設定（つまり、DS2信号にDS1データ単位でAISを挿入）するものである。
【００４６】
さらに、STS1マップ部１７は、入力信号をSTS1クロック発生部１８で発生したクロックに同期してSONET２へのSTS1信号にマップするもので、ここでは、上記のDS1/VT1.5マップ部１６から入力されるVT1.5信号についてはVT1.5マップ部１７ａにて、セレクタ１２から後述するように選択されて入力されるDS3信号についてはDS3マップ部１７ｂにて、それぞれSTS1信号へのマップが行なわれるようになっている。
【００４７】
一方、受信系において、STS1デマップ部２１は、SONET２からSONETインタフェース部３３及びクロスコネクト部３２を通じて受信されるSTS1信号を終端し、そのSTS1信号にマップされているDS3信号又はVT1.5信号を終端しデマップするもので、DS3信号がマップされたSTS1信号についてはDS3デマップ部２１ａにて、VT1.5信号がマップされたSTS1信号についてはVT1.5デマップ部２１ｂにて、それぞれデマップが行なわれるようになっている。なお、DS3デマップ部２１ａにてSTS1信号からデマップされたDS3信号は、そのままセレクタ１２へ出力される。
【００４８】
また、STS1アラーム検出部２１ｃは、DS3信号又はVT1.5信号終端時に、高次群アラーム(DS3信号又はVT1.5信号からみた場合、いずれもSTS1アラームがこれにあたる)を検出するためのもので、ここでは、このSTS1アラーム検出部２１ｃにおいて、STS1アラームが検出されるとその旨がSONETコンディション通知部１９に通知されるが、VT1.5信号終端時に検出された場合はDS1-AIS挿入信号としてDS1/DS2多重変換部２４のDS1-AIS挿入部２４ａにも通知され、DS3信号終端時に検出された場合はDS1-AIS挿入信号としてDS1/VT1.5マップ部１６のDS1-AIS挿入部１６ａにも通知されるようになっている。
【００４９】
さらに、VT1.5/DS1デマップ部２２は、VT1.5デマップ部２１ｂからの入力VT1.5信号を終端し、DS1信号に分離変換するものであり、VTアラーム検出部２２ａは、VT1.5信号の終端時に、高次群アラーム(DS1信号からみた場合、VT1.5アラームがこれにあたる)を検出するためのもので、このVTアラーム検出部２２ａにおいてVT1.5アラームが検出されると、その旨がSONETコンディション通知部１９へ通知されるとともに、DS1/DS2多重変換部２４にDS1-AIS挿入信号として、DS1/DS2多重変換部２４に通知されるようになっている。
【００５０】
また、SONETデスタッフ用メモリ２３（以下、単に「デスタッフメモリ２３」という）は、上記のVT1.5/DS1デマップ部２２からの入力DS1信号に蓄積されたSTS1信号及びVT1.5信号のデスタッフ時に発生したデータのゆらぎを吸収（周波数オフセットを補償）してDS1信号の平滑化を行なうために、上記入力DS1信号を蓄積するものであり、DS1/DS2多重変換部２４は、このデスタッフメモリ２３から入力される平滑化後のDS1信号を、DS3ネットワーク用クロック発生部２７（以下、単に「DS3クロック発生部２７」という）で発生されるDS3網１のデータ速度に同期したクロックに同期して、DS2信号に多重変換するものである。
【００５１】
さらに、DS1-AIS挿入部２４ａは、上記のDS1信号からDS2信号への多重変換時に、前記のSTS1アラーム検出部２１ｃ又はVTアラーム検出部２２ａからDS1-AIS挿入信号を受信していた場合に、DS2信号中のDS1信号のデータを全て“１”に設定（DS1-AISを挿入）するものである。
また、DS2/DS3多重変換部２５は、上記のDS1/DS2多重変換部２４で得られたDS2信号を、DS3クロック発生部２７で発生されるクロックに同期して、DS3信号に多重変換するものであり、Ｕ／Ｂ変換部２８は、セレクタ１２から入力されるDS3網１へのDS3信号（装置内バイポーラ信号）を装置外ユニポーラ信号に変換してDS3網１へ出力するものである。
【００５２】
なお、以下において、上記のDS3/DS2分離変換部１３，DS2/DS1分離変換部１４，変換メモリ１５，DS1/VT1.5マップ部１６及びSTS1マップ部１７（VT1.5マップ部１７ａ）から成る系を「DS3→VT1.5→STS1変換部（第１信号変換部）４０」、STS1マップ部１７におけるDS3マップ部１７ｂを「DS3→STS1変換部（第３信号変換部）５０」、STS1デマップ部２１におけるDS3デマップ部２１ａを「STS1→DS3変換部（第２信号変換部）６０」、STS1デマップ部２１（VT1.5デマップ部２１ｂ），VT1.5/DS1デマップ部２２，デスタッフメモリ２３，DS1/DS2多重変換部２４及びDS2/DS3多重変換部２５から成る系を「STS1→VT1.5→DS3変換部（第４信号変換部）７０」と称することにする〔図４（Ａ）及び図４（Ｂ）参照〕。
【００５３】
そして、セレクタ１２は、DS3網１と上記の各変換部４０〜７０との接続関係を切り替えるためのもので、例えば、DS3網１から受信される、DS1信号がマップされたDS3信号と、SONET２から受信される、VT1.5信号がマップされたSTS1信号との間の相互乗り入れ（分離／多重変換）を実現する場合には、図４（Ａ）に示すように、DS3網１からのDS3信号をDS3→VT1.5→STS1変換部４０へ出力するとともに、STS1→VT1.5→DS3変換部７０からのDS3信号をＵ／Ｂ変換部２８へ出力するように切り替えられるようになっている（この接続状態を「ライン側接続」という）。
【００５４】
これに対して、SONET２において既にDS3信号（又はVT1.5信号）がマップされたSTS1信号をVT1.5信号（又はDS3信号）がマップされたSTS1信号に再構築する場合には、セレクタ１２は、図４（Ｂ）に示すように、STS1→DS3変換部６０によって得られたDS3信号をDS3→VT1.5→STS1変換部４０の入力信号として折り返すとともに、STS1→VT1.5→DS3変換部７０によって得られたDS3信号をDS3→STS1変換部５０への入力信号として折り返すように切り替えられる（この接続状態を「ループ側接続」という）。
【００５５】
換言すれば、セレクタ１２は、図４（Ａ）の場合、DS3網１からのDS3信号と、STS1→DS3変換部６０からのDS3信号のうち、前者をDS3→VT1.5→STS1変換部４０へ選択出力するとともに、STS1→DS3変換部６０からのDS3信号と、STS1→VT1.5→DS3変換部７０からのDS3信号とのうち、後者をＵ／Ｂ変換部２８へ選択出力する一方、図４（Ｂ）の場合、DS3網１からのDS3信号と、STS1→DS3変換部６０からのDS3信号のうち、後者をDS3→VT1.5→STS1変換部４０へ選択出力するとともに、DS3網１からのDS3信号と、STS1→VT1.5→DS3変換部７０からのDS3信号とのうち、後者をDS3→STS1変換部５０へ選択出力することになる。
【００５６】
つまり、本セレクタ１２は、DS3網１からのDS3信号と、STS1→DS3変換部６０で得られたDS3信号とのいずれかをDS3→VT1.5→STS1変換部４０への入力信号として選択的に出力しうるとともに、DS3網１からのDS3信号と、STS1→VT1.5→DS3変換部７０で得られたDS3信号とのいずれかをSTS1→DS3変換部６０への入力信号として選択的に出力しうる選択部としての機能を果たすものである。
【００５７】
これにより、DS3網１から受信されるDS3信号およびSONET２からDS3信号が既にマップされたSTS1信号として受信されSTS1→DS3変換部６０での信号変換により得られたDS3信号のいずれについても、共通のDS3→VT1.5→STS1変換部４０により、VT1.5信号のマップ（複数多重）されたSONET２へのSTS1信号に再構築することが可能となる。
【００５８】
また、DS3網１からのDS3信号およびSONET２からVT1.5信号のマップされたSTS1信号として受信されSTS1→VT1.5→DS3変換部７０での信号変換により得られたDS3信号のいずれについても、共通のSTS1→DS3変換部６０により、DS3信号のマップされたSONET２へのDS3信号に再構築することが可能となる。したがって、以上のような再構築のための別装置を必要とせず、装置規模を増大させることなく、必要な信号の再構築を実現できる。
【００５９】
なお、SONETコンディション通知部１９は、STS1アラーム，DS3アラーム，DS2アラーム，VTアラームがアラーム検出部２１ｃ，１３ａ，１４ａ，２２ａにて検出された旨の通知を受けることにより、アラーム発生の旨を装置内状態監視部（図示省略）経由でSONET２へ送出してネットワーク管理者に通知するためのものである。
【００６０】
以下、上述のごとく構成された本実施形態のＡＤＭノード３（VTインタフェース部３１）の動作について詳述する。ただし、以下の説明において、クロスコネクト部３２及びSONETインタフェース部３３での各処理についての言及は省略するものとする。
（１）セレクタ１２の切り替え動作説明
セレクタ１２の切り替え動作は、回線設定時に発生する。ここで、セレクタ１２の切り替え動作を伴う回線設定には、２種類の発生原因があり、１つは、ネットワーク管理者が回線設定を実行した場合であり、もう１つは、伝送ルート上に障害が発生した場合である。
【００６１】
即ち、セレクタ１２は、ネットワーク管理部（図示省略）が図５に示すフローチャートに従って動作することで切り替え制御される。例えば、ネットワーク管理部は、保守端末等からネットワーク管理者による回線設定コマンド等が投入された場合（ステップＳ１）、あるいは、伝送ルート上に障害（アラーム）が発生（ステップＳ２）したことに伴って回線設定変更リクエストが発生した場合（ステップＳ３のＹｅｓルート）に、上記のコマンド又はリクエストを基にDS3信号をVT1.5信号として搭載する必要があるか否かを判断し（ステップＳ４）、必要があれば、さらに、VT1.5信号として搭載するDS3信号は、SONET２のSTS1信号であるか否かを判断する（ステップＳ４のＹｅｓルートからステップＳ５）。
【００６２】
その結果、VT1.5信号として搭載するDS3信号がSONET２のSTS1信号であれば、ネットワーク管理部は、SONET２上のSTS1信号に既にマップされたDS3信号をVT1.5信号のマップされたSTS1信号に再構築してSONET２へ伝送する（戻す）必要がある（これを「サーバモード（Server mode）」という）と判断し（ステップＳ５のＹｅｓルートからステップＳ６）、セレクタ１２に対してループ側選択制御信号を与えて、セレクタ１２を図４（Ｂ）に示す「ループ接続状態」に制御する（ステップＳ７）。
【００６３】
これに対し、VT1.5信号として搭載するDS3信号がSONET２のSTS1信号でなければ、ネットワーク管理部は、DS3網１をSONET２にサポートする「ノンサーバモード（Non Server mode）」であると判断し（ステップＳ５のＮｏルートからステップＳ８）、セレクタ１２に対してライン側選択制御信号を与えて、セレクタ１２を図４（Ａ）に示す「ライン接続状態」に制御する（ステップＳ９）。
【００６４】
なお、アラーム発生に伴う回線設定変更リクエストが発生していない場合（ステップＳ３でＮｏの場合）や、DS3信号をVT1.5信号として搭載する必要がない場合（ステップＳ４でＮｏの場合）は、セレクタ１２の接続状態は現状維持される（ステップＳ１０）。また、アラーム発生に伴う回線設定変更リクエストの発生要因の具体例については後述する。
【００６５】
次に、以下では、上記の各モードにおけるＡＤＭノード３（VTインタフェース部３１）の動作について詳述する。
（２）ノンサーバモード時の動作説明
DS3網１をSONET２にサポートするノンサーバモード時は、上述したように、セレクタ１２が図４（Ａ）に示すように「ライン接続状態」に制御されるので（図５のステップＳ１，Ｓ４のＹｅｓルート，ステップＳ５のＮｏルート，ステップＳ９参照）、DS3網１から受信したDS3信号は、Ｂ／Ｕ変換部１１にて、装置外バイポーラ信号から装置内ユニポーラ信号に変換されたのち、セレクタ１２を通じて、DS3/DS2分離変換部１３に出力される。
【００６６】
DS3/DS2分離変換部１３では、セレクタ１２からの入力DS3信号を終端し、DS3信号のアラーム状態を調べて、DS3信号に障害（アラーム）が発生しているか否かがDS3アラーム検出部１３ａにて判断される。DS3アラームが発生していた場合には、その旨がSONETコンディション通知部１９へ通知されるとともに、DS1-AIS挿入信号としてDS1/VT1.5マップ部１６のDS1-AIS挿入部１６ａに通知される。
【００６７】
DS3障害が発生していないと判断された場合には、図６（Ｂ）に模式的に示すように、DS3信号からDS2信号×７ｃｈ（チャンネル）が分離される（例えば、図９に示すステップＳ１４のＮｏルートからステップＳ１５の処理に相当）。
さて、このようにして得られたDS2信号は、次に、DS2/DS1分離変換部１４にて終端され、DS2アラーム検出部１４ａにより、DS2信号のアラームが調べられ、DS2信号に障害が発生しているか否かが判断される。その結果、DS2アラームが発生していた場合には、この場合も、その旨がSONETコンディション通知部１９へ通知されるとともに、DS1-AIS挿入信号としてDS1-AIS挿入部１６ａに通知される。これに対して、DS2アラームが発生していないと判断された場合には、図６（Ｃ）に模式的に示すように、DS2信号×７ｃｈからDS1信号×２８ｃｈが分離される（例えば、図９に示すステップＳ１６のＮｏルートからステップＳ１７の処理に相当）。
【００６８】
得られたDS1信号は、変換メモリ１５に蓄積されたのち、DS1/VT1.5マップ部１６に出力され、DS1/VT1.5マップ部１６では、DS1信号のアラームを調べて、DS1信号に障害が発生しているか否かが判断される。DS1アラームが発生していた場合（DS1-AIS挿入信号がDS1-AIS挿入部１６ａで受信された場合も含む）には、DS1-AIS挿入部１６ａによって、DS1-AISをVT1.5信号に多重したVT1.5信号が作成されて、STS1マップ部１７（VT1.5マップ部１７ａ）に出力される。
【００６９】
これに対して、DS1アラームが発生していないと判断された場合には、STS1クロック発生部１８で生成されたクロックに同期して、図６（Ｄ）に模式的に示すように、DS1信号×２８ｃｈがVT1.5信号×２８ｃｈにマップされる（例えば、図９に示すステップＳ１８のＮｏルートからステップＳ２１の処理に相当）。
さて、このようにしてDS1/VT1.5マップ部１６で得られたVT1.5信号は、STS1マップ部１７に入力され、STS1クロック発生部１７で生成されたクロックに同期して、STS1信号に多重変換されて、SONET２へ送出される。即ち、STS1マップ部１７では、図６（Ｅ）に模式的に示すように、VT1.5信号×２８ｃｈをSTS1信号に多重する（図９に示すステップＳ２２の処理に相当）。
【００７０】
これに対し、SONET２から受信された、VT1.5信号の多重されたSTS1信号は、STS1デマップ部２１にて終端され、STS信号のアラームが調べられ、高次群アラーム(STS1アラーム)がSTS1アラーム検出部２１ｃにて検出された場合は、その旨がSONETコンディション通知部１９に通知されるとともに、DS1-AIS挿入信号として、DS1/DS2多重変換部２４のDS1-AIS挿入部２４ａに通知される。アラームが発生していなければ、図７（Ａ）に模式的に示すように、VT1.5デマップ部２１ｂにて、STS1信号からVT1.5信号×７ｃｈが分離される。
【００７１】
さて、上述のごとく得られたVT1.5信号は、次に、VT1.5/DS1デマップ部２２にて終端され、VT1.5信号のアラームがVTアラーム検出部２２ａによって調べられる。VTアラームが発生していれば、その旨がSONETコンディション通知部１９に通知されるとともに、DS1-AIS挿入信号としてDS1-AIS挿入部２４ａに通知される。VTアラームが発生していなければ、図７（Ｂ）に模式的に示すように、VT1.5信号からDS1信号×４ｃｈが分離される。
【００７２】
次に、得られたDS1信号は、デスタッフメモリ２３に蓄積され、デスタッフメモリ２３にて、DS1クロック発生部２６からのクロックに従って読み出されることにより、当該DS1信号に蓄積されたSTS1信号及びVT1.5信号レベルでのスタッフが吸収されて平滑化されたのち、DS1/DS2多重変換部２４に出力される。DS1/DS2多重変換部２４では、平滑化後のDS1信号を、DS3クロック発生部２７で生成されたクロックに同期して、DS2信号に多重変換する。即ち、図７（Ｃ）に示すように、DS1信号×４ｃｈが多重されてDS2信号×１ｃｈが得られる。
【００７３】
なお、この際、DS1-AIS挿入信号をDS1-AIS挿入部２４ａが受信していた場合、DS1-AIS挿入部２４ａは、DS2信号中のDS1信号(DS1データ)を全て“１”に設定（DS1-AISを挿入）する。
さて、次に、DS1/DS2多重変換部２４で得られたDS2信号は、DS2/DS3多重変換部２５にて、DS3信号に多重変換される。即ち、図７（Ｄ）に模式的に示すように、DS2信号×７ｃｈが多重されることによりDS3信号×１ｃｈが得られる。このようにして得られたDS3信号は、セレクタ１２に出力され、セレクタ１２では、図４（Ａ）に示すように、この入力DS3信号を、Ｕ／Ｂ変換部２８へ出力する。Ｕ／Ｂ変換部２８は、セレクタ１２から入力されたDS3信号（装置内ユニポーラ信号）を装置外バイポーラ信号に変換してDS3網１へ出力する。
【００７４】
（３）サーバモード時の動作説明
次に、SONET２上のSTS1信号に既にマップされたDS3信号をVT1.5信号のマップされたSTS1信号に再構築してSONET２へ伝送する「サーバモード」時の動作について説明する。
この場合は、ネットワーク管理者の回線設定により、セレクタ１２が図４（Ｂ）に示すように「ループ接続状態」に制御される（図５のステップＳ１，Ｓ４のＹｅｓルート，ステップＳ５のＹｅｓルート，ステップＳ７参照）ので、SONET２から受信された、DS3信号のマップされたSTS1信号は、STS1デマップ部２１にて終端されたのち、DS3デマップ部２１ａにてDS3信号に分離される。即ち、図６（Ａ）に模式的に示すように、DS3データ×３ｃｈが多重された受信STS3信号中のSTS1信号からそれぞれDS3データが分離されてDS3信号（フレーム）が得られる。
【００７５】
この際、STS1アラーム検出部２１ｃにて高次群アラーム（STS1アラーム）が検出されると、その旨がSONETコンディション通知部１９へ通知されるとともに、DS1-AIS挿入信号としてDS1/VT1.5マップ部１６のDS1-AIS挿入部１６ａに通知される。つまり、本実施形態では、装置内で折り返すべき高次群信号（DS3信号）レベルでアラームが検出されると、DS1/VT1.5マップ部１６にて、その高次群信号にマップされる、装置内で扱う信号のうち最も遅い速度であるDS1信号にDS1-AIS信号が一括挿入されるようになっているのである。これにより、回路規模の縮小を図ることができ、消費電力の増大を抑えることが可能となる。
【００７６】
さて、次に、DS3デマップ部２１ａにて得られたDS3信号は、セレクタ１２に入力され、セレクタ１２にて、図４（Ｂ）に示すように、DS3→VT1.5→STS1変換部４０（DS3/DS2分離変換部１３）へ折り返される。以降は、前述した「ノンサーバモード」の場合と同様に、DS3/DS2分離変換部１３→DS2/DS1分離変換部１４→変換メモリ１５→DS1/VT1.5マップ部１６→STS1マップ部１７（VT1.5マップ部１７ａ）を経て、DS3信号からVT1.5信号のマップされたSTS1信号への信号変換〔図６（Ｂ）〜図６（Ｅ）参照〕及び必要なDS1-AIS挿入が行なわれて、SONET２へ送出される。
【００７７】
ただし、この信号変換過程において、DS1/VT1.5マップ部１６は、DS3信号,DS2信号でのアラームが発生した場合のみならず、STS1デマップ部２１にて受信STS1信号をDS3信号に分離した時にSTS1アラームが発生した場合（DS1-AIS挿入部１６ａがDS1-AIS挿入信号を受信した場合）も、DS1-AIS挿入部１６ａによって、DS2信号中のDS1データを全て“１”に設定する。
【００７８】
即ち、例えば図９に示すように、(a)SONET２から受信されたSTS1信号（ステップＳ１１）について信号障害（STS1アラーム）が検出された場合（ステップＳ１２のＹｅｓルート）、(b)STS1信号からデマップされたDS3信号について信号障害（DS3アラーム）が検出された場合（ステップＳ１２のＮｏルートからステップＳ１３，ステップＳ１４のＹｅｓルート）、(c)DS3信号から分離されたDS2信号に信号障害（DS2アラーム）が検出された場合（ステップＳ１４のＮｏルートからステップＳ１５，ステップＳ１６のＹｅｓルート）、(d)DS2信号から分離されたDS1信号に信号障害（DS1アラーム）が検出された場合（ステップＳ１６のＮｏルートからステップＳ１７，ステップＳ１８のＹｅｓルート）のいずれの場合も、DS1-AIS挿入信号がDS1-AIS挿入部１６ａに送信されて（ステップＳ１９）、DS1-AIS挿入部１６ａにてVT1.5信号のDS1データが全て“１”に設定され〔ステップＳ２０；図１０（Ａ）〜図１０(Ｃ)及び図１０（Ｄ）の網がけ部参照〕たのち、STS1信号に多重されてSONET２へ出力される（ステップＳ２２）。
【００７９】
なお、いずれのレベルのアラームも検出されなかった場合（ステップＳ１２，Ｓ１４，Ｓ１６，Ｓ１８でいずれもＮｏの場合）は、アラーム挿入は行なわれずに、２８チャンネル分のDS1信号が２８チャンネル分のVT1.5信号にマップされたのち（ステップＳ２１）、STS1信号に多重されてSONET２へ出力される（ステップＳ２２）。
【００８０】
上記に対し、SONET２からVT1.5信号のマップされたSTS1信号が受信された場合は、前述した「ノンサーバモード」の場合と同様に、STS1デマップ部２１（VT1.5デマップ部２１ｂ）→VT1.5/DS1デマップ部２２→デスタッフメモリ２３→DS1/DS2多重変換部２４→DS2/DS3多重変換部２５という経路を通って、VT1.5信号のマップされたSTS1信号からDS3信号への信号変換〔図７（Ａ）〜図７（Ｄ）参照〕及び必要なDS1-AIS挿入が行なわれる。
【００８１】
そして、このようにして得られたDS3信号は、セレクタ１２にてSTS1マップ部１７（DS3マップ部１７ｂ）へ折り返され〔図４（Ｂ）参照〕、DS3マップ部１７ｂにて、STS1クロック発生部１８からのクロックに同期して、STS1信号にマップされて〔図７（Ｅ）参照〕、SONET２へ送出される。
つまり、本実施形態のＡＤＭノード３（VTインタフェース部３１）は、「サーバモード」時には、図８に模式的に示すように、DS3信号のマップされたSTS1信号とVT1.5信号のマップされたSTS1信号との間の相互の信号変換が可能になるのである。
【００８２】
以上のように、本実施形態のＡＤＭノード３（VTインタフェース部３１）によれば、セレクタ１２により、SONET２から受信されるSTS1信号からSTS1→DS3変換部６０で得られたDS3信号と、DS3網１から受信されるDS3信号とのいずれか一方をDS3→VT1.5→STS1変換部４０〔図４（Ａ）及び図４（Ｂ）参照〕への入力信号として選択的に出力するという構成を採ることで、VT1.5信号の伝送をサポートするSONET２を構成するＡＤＭノード３において、DS3信号によるサービスを実施することができるとともに、従来はSTS1単位でしかサポートできなかった既にDS3信号のマップされたSTS1信号をVT1.5信号のマップされたSTS1信号に再構築することができる。
【００８３】
したがって、DS3網１を運用しながら、SONET２にVT1.5単位での多重／分離等の処理を行なえる、VT1.5信号伝送をサポートするSONET２に乗り込める装置の要求に答えつつ、さらに、SONET２上のSTS1信号に既にマップされたDS3信号についても、VT1.5信号単位での再構築を行ない、VT1.5信号単位でクロスコネクト等のサービスを一装置でサポートすることが可能となる。
【００８４】
また、セレクタ１２によって、SONET２から受信されるSTS1信号からSTS1→VT1.5→DS3変換部７０で得られたDS3信号と、DS3網１から受信されるDS3信号とのいずれか一方をDS3→STS1変換部５０への入力信号として選択的に出力することもできるので、VT1.5信号の伝送をサポートするSONET２を構成するＡＤＭノード３において、DS3信号によるサービスを実施することができるとともに、VT1.5信号のマップされたSTS1信号をDS3信号のマップされたSTS1信号に再構築することができる。
【００８５】
さらに、本実施形態では、装置内の単一のSONETコンディション通知部１９にて、各レベルのアラーム検出が収集されて、まとめてネットワーク管理者に通知することができるので、ネットワーク管理者の管理負担を大幅に軽減することができる。
（４）アラーム発生時のプロテクション動作説明
次に、以下では、上述したＡＤＭノード３を有するSONET２上で障害が発生した場合のプロテクション動作について説明する。
【００８６】
（４−１）ＡＤＭノード３をゲートノードとして運用する場合（ノンサーバモード時）
図１１は、上述したＡＤＭノード３をゲートノードとして既存のＡＤＭノード（例えば、図１に示すＡＤＭノード５等）と接続した場合の信号経路を示す図で、この図１１に示すように、ＡＤＭノード５にてアド（ＡＤＤ）されたDS1信号（1.544 Mbps）は、VT1.5信号がマップされたSTS1信号として、SONET２を太実線８で示すルート（現用ルート）を通ってＡＤＭノード３に伝送される。
【００８７】
ここで、この場合、ＡＤＭノード３は、「ノンサーバモード」で動作すればよいので、ネットワーク管理者による回線設定により、セレクタ１２が「ライン接続状態」に制御されており（図５に示すステップＳ５のＮｏルートからステップＳ８，Ｓ９参照）、現用ルート８から受信したVT1.5信号のマップされたSTS1信号は、前述したようにDS3信号に変換されてDS3網１にドロップされる。逆に、DS3網１からのDS3信号は、ＡＤＭノード３にてVT1.5信号がマップされたSTS1信号に変換されてSONET２へアドされ、ＡＤＭノード５にてDS1信号としてドロップされる。
【００８８】
さて、かかる運用状態において、例えば図１２に示すように、SONET２の現用ルート８上に障害が発生した場合を考える。この場合、ＡＤＭノード５にてアドされたDS1信号は、VT1.5信号がマップされたSTS1信号として、SONET２上を伝送されるが、障害発生により現用ルート８が遮断されているので、ＡＤＭノード５は、障害を検出した現用ルート８（破線矢印参照）を予備ルート９に切り替える（クロスコネクト設定を変更する）。これにより、VT1.5信号がマップされたSTS1信号は、予備ルート９を通じてＡＤＭノード３に到達する。
【００８９】
ここで、この場合も、ＡＤＭノード３は、「ノンサーバモード」で動作すればよいので、ＡＤＭノード３のセレクタ１２は「ライン接続状態」に制御されており、前述したように、VT1.5信号がマップされたSTS1信号をDS3信号に変換してDS3網１へドロップする。なお、ＡＤＭノード３にてアドされたDS3信号は、上記と逆の動作により、ＡＤＭノード５でDS1信号にてドロップされる。
【００９０】
（４−２）ＡＤＭノードをゲートノードとして運用する場合(サーバモード時)図１３は、上述したＡＤＭノード３をゲートノードとして既存のＡＤＭノード(例えば、図1に示すＡＤＭノード５等)と接続した場合の信号経路を示す図で、この図１３に示すようにＡＤＭノード５にてアド（ADD）されたDS1信号（1.544Ｍbps）は、VT1.5信号がマップされたSTS1信号として、SONET２を太実線８′で示すルート（現用ルート）を通ってＡＤＭノード３に伝送される。
【００９１】
ここで、この場合、ＡＤＭノード３は、「サーバモード」で動作する必要があるので、ネットワーク管理者による回線設定により、セレクタ１２が「ループ接続」状態に制御されている（図５に示すステップＳ５のＹｅｓルートからステップＳ６，Ｓ７参照）。これにより、ＡＤＭノード３では、前述したように、受信したVT1.5信号のマップされたSTS1信号を、DS3信号がマップされたSTS1信号に変換してSONET１′(SONET２とは別のSONETに相当)にドロップされる。
【００９２】
逆に、SONET１′からのDS3信号がマップされたSTS1信号は、ＡＤＭノード３にてVT1.5信号がマップされたSTS1信号に変換されてSONET２にアドされ、ＡＤＭノード５にてDS1信号としてドロップされる。
さて、かかる運用状態において、例えば図１４に示すように、SONET２の現用ルート８′上に障害が発生した場合を考える。この場合、ＡＤＭノード５にてアドされたDS1信号は、VT1.5信号がマップされたSTS1信号として、SONET２上を伝送されるが、障害発生により現用ルート８′が遮断されているので、ＡＤＭノード５は、障害を検出した現用ルート８′を予備ルート９′に切り替える（クロスコネクト設定を変更する）。これにより、VT1.5信号がマップされたSTS1信号は、予備ルート９′を通じて、ＡＤＭノード３に到達する。
【００９３】
ここで、この場合、ＡＤＭノード３は、「サーバモード」で動作すればよいので、ＡＤＭノード３のセレクタ１２は「ループ接続」状態に制御されており、前述したように、VT1.5信号のマップされたSTS1信号を、DS3信号がマップされたSTS1信号に変換してSONET１′にドロップされる。なお、ＡＤＭノード３にてアドされたDS3信号がマップされたSTS1信号は、上記と逆の動作により、ＡＤＭノード５にてDS1信号としてドロップされる。
【００９４】
（４−３）ＡＤＭノード３を中継ノードとして運用する場合（サーバモード時）
次に、図１５は、上述したＡＤＭノード３をSONET２上の中継ノード（他のネットワークを収容しないノード）として運用した状態の信号経路を示す図で、この図１５において、４′はSONET２とDS3網とを接続する既存のＡＤＭノード、５はSONET２とDS1網とを接続する既存のＡＤＭノードをそれぞれ表している。
【００９５】
そして、通常の運用状態では、ＡＤＭノード５にてアドされたDS1信号は、この場合も、VT1.5信号がマップされたSTS1信号として、SONET２を太実線８ｂで示すルート（現用ルート）を通って、本実施形態のＡＤＭノード３に到達する。
この場合、ＡＤＭノード３は、「サーバモード」で動作する必要があるので、ネットワーク管理者による回線設定により、セレクタ１２が「ループ接続状態」に制御されている（図５に示すステップＳ５のＹｅｓルートからステップＳ６，Ｓ７参照）。これにより、ＡＤＭノード３では、前述したように、受信したVT1.5信号のマップされたSTS1信号を、DS3信号がマップされたSTS1信号に変換してSONET２へ送出する。このDS3信号がマップされたSTS1信号は、SONET２上を太実線８ｂで示すルート（現用ルート）を通って、ＡＤＭノード４′に到達する。
【００９６】
ＡＤＭノード４′では、DS3信号のマップされたSTS1信号からDS3信号をデマップしてDS3網へドロップする。DS3信号がＡＤＭノード４′にてアドされてＡＤＭノード３経由でＡＤＭノード５にてDS1信号としてドロップされる場合は、上記と逆の動作になる。
さて、かかる運用状態において、例えば図１６に示すように、ＡＤＭノード３とＡＤＭノード４′との間の伝送ライン（現用ルート８ｂ）に障害が発生した場合を考える。この場合、ＡＤＭノード５にてアドされたDS1信号は、VT1.5信号がマップされたSTS1信号として、SONET２上を現用ルート８ａを通じて伝送され、ＡＤＭノード３に到達する。
【００９７】
ＡＤＭノード３では、前述したようにVT1.5信号のマップされたSTS1信号をDS3信号のマップされたSTS1信号に変換して、ＡＤＭノード４′に向けて送信しようとするが、現用ルート８ｂが障害により遮断されているので、クロスコネクト部３２のクロスコネクト設定を変更して、伝送ルートを予備ルート８ｃに切り替える。これにより、DS3信号がマップされたSTS1信号は、予備ルート８ｃ経由でＡＤＭノード５に戻る。
【００９８】
ＡＤＭノード５は、DS3信号がマップされたSTS1信号を太実線９で示すルート（予備ルート）を通じて伝送する。これにより、DS3信号がマップされたSTS1信号は、予備ルート９を通じてＡＤＭノード４′に到達し、ＡＤＭノード４′では、受信したDS3信号のマップされたSTS1信号を、DS3信号にてDS3網へドロップする。
【００９９】
（５）その他
上述した実施形態では、第１低次群信号としてDS3信号、第２低次群信号としてVT1.5信号、高次群信号としてSTS1信号の場合を例にして説明したが、本発明は、これに限定されず、第２低次群信号＜第１低次群信号＜高次群信号という関係を満足する伝送速度を有する信号であれば同様に適用され、上記と同様の作用効果が得られる。
【０１００】
そして、本発明は上記の実施形態に限定されず、本発明の趣旨を逸脱しない範囲で種々変形して実施することができる。
（６）付記
（付記１）  所定の伝送速度を有する第１低次群信号による伝送を行なう第１のネットワークと、該第１低次群信号よりも高速の伝送速度を有する高次群信号単位で信号伝送を行なう第２のネットワークとの間に介装される伝送装置であって、
該高次群信号又は該第１低次群信号よりも低速の第２低次群信号単位で、該第１のネットワークと該第２のネットワークとの間で伝送される信号のクロスコネクトを行なうクロスコネクト部と、
該クロスコネクト部との間において該高次群信号単位で信号の伝送を行なうインタフェース部とをそなえるとともに、
該インタフェース部が、
入力された第１低次群信号を、該第１低次群信号よりも低速の第２低次群信号が複数多重された該第２のネットワークへの高次群信号に変換して該クロスコネクト部へ出力する第１信号変換部と、
該第２のネットワークから該クロスコネクト部を通じて受信される高次群信号を第１低次群信号に変換する第２信号変換部と、
該第１のネットワークからの第１低次群信号と、該第２信号変換部で得られた第１低次群信号とのいずれかを該第１信号変換部への入力信号として選択的に出力しうる選択部とをそなえたことを特徴とする、伝送装置。
【０１０１】
（付記２）  所定の伝送速度を有する第１低次群信号による伝送を行なう第１のネットワークと、該第１低次群信号よりも高速の伝送速度を有する高次群信号単位で信号伝送を行なう第２のネットワークとの間に介装される伝送装置であって、
該高次群信号又は該第１低次群信号よりも低速の第２低次群信号単位で、該第１のネットワークと該第２のネットワークとの間で伝送される信号のクロスコネクトを行なうクロスコネクト部と、
該クロスコネクト部との間において該高次群信号単位で信号の伝送を行なうインタフェース部とをそなえるとともに、
該インタフェース部が、
入力された第１低次群信号を該第２のネットワークへの該高次群信号に変換して該クロスコネクト部へ出力する第３信号変換部と、
該第２のネットワークからの高次群信号を、該第１低次群信号よりも低速の第２低次群信号が複数多重された該第１のネットワークへの第１低次群信号に変換する第４信号変換部と、
該第１のネットワークからの第１低次群信号と、該第４信号変換部で得られた第１低次群信号とのいずれかを該第３信号変換部への入力信号として選択的に出力しうる選択部とをそなえたことを特徴とする、伝送装置。
【０１０２】
（付記３）  所定の伝送速度を有する第１低次群信号による伝送を行なう第１のネットワークと、該第１低次群信号よりも高速の伝送速度を有する高次群信号単位で信号伝送を行なう第２のネットワークとの間に介装される伝送装置であって、
該高次群信号又は該第１低次群信号よりも低速の第２低次群信号単位で、該第１のネットワークと該第２のネットワークとの間で伝送される信号のクロスコネクトを行なうクロスコネクト部と、
該クロスコネクト部との間において該高次群信号単位で信号の伝送を行なうインタフェース部とをそなえるとともに、
該インタフェース部が、
入力された第１低次群信号を、該第１低次群信号よりも低速の第２低次群信号が複数多重された該第２のネットワークへの高次群信号に変換して該クロスコネクト部へ出力する第１信号変換部と、
該第２のネットワークから該クロスコネクト部を通じて受信される高次群信号を第１低次群信号に変換する第２信号変換部と、
入力された第１低次群信号を該第２のネットワークへの高次群信号に変換してクロスコネクト部へ出力する第３信号変換部と、
該第２のネットワークから該クロスコネクト部を通じて受信される高次群信号を、第２低次群信号が複数多重された該第１のネットワークへの第１低次群信号に変換する第４信号変換部と、
該第１のネットワークからの第１低次群信号と、該第２信号変換部で得られた第１低次群信号とのいずれかを該第１信号変換部への入力信号として選択的に出力しうるとともに、該第１のネットワークからの第１低次群信号と、該第４信号変換部で得られた第１低次群信号とのいずれかを該第３信号変換部への入力信号として選択的に出力しうる選択部とをそなえたこと特徴とする、伝送装置。
【０１０３】
（付記４）  該第２信号変換部が、
該第２のネットワークからの該高次群信号から該第１低次群信号への信号変換の際に、該高次群信号についてのアラームを検出するアラーム検出部をそなえるとともに、
該第１信号変換部が、
該アラーム検出部にて該高次群信号についてのアラームが検出されると、該選択部から選択出力される第１低次群信号の該高次群信号への信号変換過程において該高次群信号に多重すべき第２低次群信号をアラーム表示状態に設定するアラーム表示設定部をそなえたことを特徴とする、付記３記載の伝送装置。
【０１０４】
（付記５）  所定の伝送速度を有する第１低次群信号による伝送を行なう第１のネットワークと、該第１低次群信号よりも高速の伝送速度を有する高次群信号単位で信号伝送を行なう第２のネットワークとの間に介装されるインタフェース装置であって、
入力された第１低次群信号を、該第１低次群信号よりも低速の第２低次群信号が複数多重された該第２のネットワークへの高次群信号に変換する第１信号変換部と、
該第２のネットワークからの高次群信号を第１低次群信号に変換する第２信号変換部と、
該第１のネットワークからの第１低次群信号と、該第２信号変換部で得られた第１低次群信号とのいずれかを該第１信号変換部への入力信号として選択的に出力しうる選択部とをそなえたことを特徴とする、インタフェース装置。
【０１０５】
（付記６）  所定の伝送速度を有する第１低次群信号による伝送を行なう第１のネットワークと、該第１低次群信号よりも高速の伝送速度を有する高次群信号単位で信号伝送を行なう第２のネットワークとの間に介装されるインタフェース装置であって、
入力された第１低次群信号を該第２のネットワークへの該高次群信号に変換する第３信号変換部と、
該第２のネットワークからの高次群信号を、該第１低次群信号よりも低速の第２低次群信号が複数多重された該第１のネットワークへの第１低次群信号に変換する第４信号変換部と、
該第１のネットワークからの第１低次群信号と、該第４信号変換部で得られた第１低次群信号とのいずれかを該第３信号変換部への入力信号として選択的に出力しうる選択部とをそなえたことを特徴とする、インタフェース装置。
【０１０６】
（付記７）  所定の伝送速度を有する第１低次群信号による伝送を行なう第１のネットワークと、該第１低次群信号よりも高速の伝送速度を有する高次群信号単位で信号伝送を行なう第２のネットワークとの間に介装されるインタフェース装置であって、
入力された第１低次群信号を、該第１低次群信号よりも低速の第２低次群信号が複数多重された該第２のネットワークへの高次群信号に変換する第１信号変換部と、
該第２のネットワークからの高次群信号を第１低次群信号に変換する第２信号変換部と、
入力された第１低次群信号を該第２のネットワークへの高次群信号に変換する第３信号変換部と、
該第２のネットワークからの高次群信号を、第２低次群信号が複数多重された該第１のネットワークへの第１低次群信号に変換する第４信号変換部と、
該第１のネットワークからの第１低次群信号と、該第２信号変換部で得られた第１低次群信号とのいずれかを該第１信号変換部への入力信号として選択的に出力しうるとともに、該第１のネットワークからの第１低次群信号と、該第４信号変換部で得られた第１低次群信号とのいずれかを該第３信号変換部への入力信号として選択的に出力しうる選択部とをそなえたこと特徴とする、インタフェース装置。
【０１０７】
（付記８）  該第２信号変換部が、
該第２のネットワークからの該高次群信号から該第１低次群信号への信号変換の際に、該高次群信号についてのアラームを検出するアラーム検出部をそなえるとともに、
該第１信号変換部が、
該アラーム検出部にて該高次群信号についてのアラームが検出されると、該選択部から選択出力される第１低次群信号の該高次群信号への信号変換過程において該高次群信号に多重すべき第２低次群信号をアラーム表示状態に設定するアラーム表示設定部をそなえたことを特徴とする、付記７記載のインタフェース装置。
【０１０８】
【発明の効果】
以上詳述したように、本発明の伝送装置及びインタフェース装置によれば、第１のネットワークにおける第１低次群信号の伝送をサポートする第２のネットワークを構成する伝送装置において、第１低次群信号によるサービスを実施することができるとともに、従来は所定の高次群信号単位でしかサポートできなかった既に第１低次群信号のマップされた高次群信号を、より低速の第２低次群信号の複数多重れた高次群信号に再構築することができる。
【０１０９】
したがって、第１のネットワークを運用しながら、第２のネットワークに第２低次群信号単位での多重／分離等の処理を行なえる、第２低次群信号伝送をサポートする第２のネットワークに乗り込める装置の要求に答えつつ、さらに、第２のネットワーク上の高次群信号に既にマップされた第１低次群信号についても、第２低次群信号単位での再構築を行ない、第２低次群信号単位でクロスコネクト等のサービスを一装置でサポートすることが可能となる。
【０１１０】
また、第２のネットワーク２から受信される高次群信号から信号変換により得られた第１低次群信号と、第１のネットワークから受信される第１低次群信号のいずれか一方を第２のネットワークへの高次群信号に選択的に変換して出力することもできるので、第２低次群信号の複数多重された高次群信号を第１低次群信号のマップされた高次群信号に再構築することができる。
【０１１１】
さらに、第１のネットワークから受信される第１低次群信号および第２のネットワークから受信される高次群信号のいずれについても、共通の信号変換部により、第２低次群信号が複数多重された第２のネットワークへの高次群信号、あるいは、第１低次群信号がマップされた第２のネットワークへの高次群信号に再構築できるので、信号再構築のために別装置を必要とせず、装置規模を増大させることなく、必要な信号の再構築を実現できる。
【０１１２】
また、再構築すべき第２のネットワークから受信された高次群信号についてアラームが第２信号変換部において検出されると、再構築により高次群信号に多重すべき第２低次群信号を一括してアラーム表示状態に設定することもできるので、回路規模の縮小を図ることができ、消費電力の増大を抑えることが可能となる。
【図面の簡単な説明】
【図１】本発明の一実施形態に係るネットワークの構成を示すブロック図である。
【図２】図１に示す本実施形態のＡＤＭの構成を示すブロック図である。
【図３】図２に示すＡＤＭにおけるインタフェース部の構成を示すブロック図である。
【図４】（Ａ）及び（Ｂ）はいずれも図３に示すセレクタの切り替え動作を説明するための図で、（Ａ）は「ノンサーバモード」時のライン接続状態、（Ｂ）は「サーバモード」時のループ接続状態をそれぞれ示す図である。
【図５】図３に示すセレクタの切り替え動作を説明するためのフローチャートである。
【図６】（Ａ）〜（Ｅ）はいずれも図３に示すインタフェース部における信号フォーマット変換を説明するための図である。
【図７】（Ａ）〜（Ｅ）はいずれも図３に示すインタフェース部における信号フォーマット変換を説明するための図である。
【図８】図２及び図３に示すＡＤＭによる信号フォーマット変換を説明するための図である。
【図９】図３に示すインタフェース部におけるアラーム発生時の信号フォーマット変換を説明するためのフローチャートである。
【図１０】（Ａ）〜（Ｄ）はいずれも図３に示すインタフェース部におけるアラーム挿入動作を説明するための図である。
【図１１】図２及び図３に示すＡＤＭノードをゲートノード（ノンサーバモード）として用いたネットワーク構成例を示すブロック図である。
【図１２】図１１に示すネットワーク構成において障害が発生した場合のプロテクション動作を説明するための図である。
【図１３】図２及び図３に示すＡＤＭをゲートノード（サーバモード）として用いたネットワーク構成例を示すブロック図である。
【図１４】図１３に示すネットワーク構成において障害が発生した場合のプロテクション動作を説明するための図である。
【図１５】図２及び図３に示すＡＤＭを中継ノード（サーバモード）として用いたネットワーク構成例を示すブロック図である。
【図１６】図１５に示すネットワーク構成において障害が発生した場合のプロテクション動作を説明するための図である。
【図１７】既存のSONETの一例を示すブロック図である。
【図１８】図１５に示すSONETを構成するＡＤＭのインタフェース部の構成例を示すブロック図である。
【図１９】（Ａ）及び（Ｂ）はいずれも既存のＡＤＭによる信号フォーマット変換を説明するための図である。
【符号の説明】
１  非同期DS3ネットワーク（第１のネットワーク）
１′  新同期ネットワーク（SONET）
２  新同期ネットワーク（SONET；第２のネットワーク）
３〜７，４′  SONET光伝送装置（ＡＤＭ）
１１  Ｂ／Ｕ変換部
１２  セレクタ（選択部）
１３  DS3/DS2分離変換部
１３ａ  DS3アラーム検出部
１４  DS2/DS1分離変換部
１４ａ  DS2アラーム検出部
１５  DS1フォーマット変換用メモリ
１６  DS1/VT1.5マップ部
１６ａ  DS1-AIS挿入部（アラーム表示設定部）
１７  STS1マップ部
１７ａ  VT1.5マップ部
１７ｂ  DS3マップ部
１８  STS1ネットワーク用クロック発生部
１９  SONETコンディション通知部
２１  STS1デマップ部
２１ａ  DS3マップ部
２１ｂ  VT1.5デマップ部
２２  VT1.5/DS1デマップ部
２２ａ  VTアラーム検出部
２３  SONETデスタッフ用メモリ
２４  DS1/DS2多重変換部
２４ａ  DS1-AIS挿入部
２５  DS2/DS3多重変換部
２６  DS1クロック発生部
２７  DS3ネットワーク用クロック発生部
２８  Ｕ／Ｂ変換部
３１  VTインタフェース部（インタフェース装置）
３２  クロスコネクト部
３３  SONETインタフェース部
４０  DS3→VT1.5→STS1変換部（第１信号変換部）
５０  DS3→STS1変換部（第３信号変換部）
６０  STS1→DS3変換部（第２信号変換部）
７０  STS1→VT1.5→DS3変換部（第４信号変換部）
【図１】
0003742586.tif 000002
【図２】
0003742586.tif 000003
【図３】
0003742586.tif 000004
【図４】
0003742586.tif 000005
【図５】
0003742586.tif 000006
【図６】
0003742586.tif 000007
【図７】
0003742586.tif 000008
【図８】
0003742586.tif 000009
【図９】
0003742586.tif 000010
【図１０】
0003742586.tif 000011
【図１１】
0003742586.tif 000012
【図１２】
0003742586.tif 000013
【図１３】
0003742586.tif 000014
【図１４】
0003742586.tif 000015
【図１５】
0003742586.tif 000016
【図１６】
0003742586.tif 000017
【図１７】
0003742586.tif 000018
【図１８】
0003742586.tif 000019
【図１９】
0003742586.tif 000020